(57)【要約】【課題】記録再生装置の記憶手段に蓄積保持された各既録画番組を、極力、死蔵を防止して有効に活用できるようにする。【解決手段】既録画再生制御手段（システム制御部５ａ、録画再生処理部１６）が、電源オンにより、録画、再生の制御を優先して電源オフになるまでＨＤＤ１５の各既録画番組をエンドレス再生し、再生開始位置制御手段（再生条件設定部１７ａ）が、電源オフになったときのエンドレス再生の再生終了位置を書き換え自在に記憶してエンドレス再生の再生開始位置を記憶している前回の再生終了位置に設定し、受信チャンネルとして空きチャンネルが選択されたときに、モニタ出力制御手段（切換、合成処理部９、映像出力部１０、音声出力部１１）が、その空きチャンネルの受信出力に代えてエンドレス再生の再生中の既録画番組をモニタ出力して表示等する。【選択図】図１
2007228053.tif 000002
【特許請求の範囲】
【請求項１】
テレビ放送の受信機能及び受信したテレビ放送の番組等の録画、再生の機能を備え、受信したテレビ放送の番組等を記憶手段に録画して蓄積保持し、かつ、少なくとも再生のモニタ出力を優先して選択されたチャンネルの受信放送をモニタ出力する記録再生装置において、
電源オンにより、録画、再生の制御を優先して電源オフになるまで前記記憶手段の各既録画番組をエンドレス再生する既録画再生制御手段と、
前記電源オフになったときの前記エンドレス再生の再生終了位置を書き換え自在に記憶し、前記エンドレス再生の再生開始位置を、記憶している前回の前記再生終了位置に設定する再生開始位置制御手段と、
受信チャンネルとして空きチャンネルが選択されたときに、該空きチャンネルの受信出力に代えて前記エンドレス再生の再生番組をモニタ出力するモニタ出力制御手段とを備えたことを特徴とする記録再生装置。
【請求項２】
前記空きチャンネルが複数個であって、前記記憶手段の各既録画番組が各空きチャンネルに配分されて該各空きチャンネル毎にエンドレス再生されることを特徴とする請求項１に記載の記録再生装置。
【請求項３】
テレビ放送の受信機能及び受信したテレビ放送の番組等の録画、再生の機能を備え、受信したテレビ放送の番組等を記憶手段に録画して蓄積保持し、かつ、少なくとも再生のモニタ出力を優先して受信チャンネルの受信放送をモニタ出力する記録再生装置において、
録画番組再生条件の設定に基づき、前記記憶手段の各既録画番組を指定された番組の放送時間に再生する再生番組表を作成し、該再生番組表を書き換え自在に保持する再生番組表作成処理手段と、
前記指定された番組の有放送チャンネルが受信チャンネルに選択された状態で前記指定された番組の放送時間に達したときに、前記再生番組表にしたがって前記記憶手段の該当する既録画番組を再生する既録画再生制御手段と、
前記有放送チャンネルの前記指定された番組の放送時間の受信出力に代えて前記記憶手段から再生された既録画番組をモニタ出力するモニタ出力制御手段とを備えたことを特徴とする記録再生装置。
【請求項４】
前記指定された有放送チャンネルが複数個であって、前記録画番組再生条件の指定に基づき、前記記憶手段の各既録画番組が前記各有放送チャンネルに配分されることを特徴とする請求項３に記載の記録再生装置。
【発明の詳細な説明】
【技術分野】
【０００１】
本発明は、テレビ放送の受信機能及び受信したテレビ放送の番組等の録画、再生の機能を備え、テレビ放送の番組等を録画して記憶手段に蓄積保持する記録再生装置に関する。
【背景技術】
【０００２】
従来、この種の記録再生装置としては、ビデオテープを記憶手段とするアナログ録画タイプのビデオテープレコーダが主流であったが、デジタル処理技術の進歩等に伴い、近年は、ハードディスク装置（以下、ＨＤＤという）や書き込み可能なデジタルビデオ（バーサタイル）ディスク（Ｄｉｇｉｔａｌ  Ｖｉｄｅｏ（Ｖｅｒｓａｔｉｌｅ）  Ｄｉｓｋ）（以下、ＤＶＤという）のような大容量の記録媒体を記憶手段とするデジタル録画タイプのビデオレコーダが主流になりつつある。なお、ビデオデコーダには、前記のビデオテープ、ＨＤＤ、ＤＶＤ等の全部又は一部からなる複数の記録媒体を記憶手段とするものもある。
【０００３】
そして、これらの記録再生装置は、通常の録画操作や電子番組ガイド（ＥＰＧ）等に基づく予約録画により、受信したテレビ放送の番組や外部入力の番組等を記憶手段に録画して蓄積保持し、再生操作にしたがって、記憶手段の各既録画番組を再生する。
【０００４】
さらに、これらの録画や再生の間は、記録再生装置がいわゆるテレビモードからビデオの録画モードや再生モードに切り換わる。
【０００５】
そして、テレビモードにおいては選択されている受信チャンネルの放送番組の映像、音声をモニタ出力し、少なくとも再生モードになると、記憶手段から再生中の既録画番組の映像、音声を優先的にモニタ出力する。なお、録画モードにおいては、モニタ出力の設定等に基づき、記憶手段に録画中の番組の映像、音声を優先的にモニタ出力するか、録画と無関係に選択されているチャンネルの受信番組の映像、音声をモニタ出力する。
【０００６】
そして、いわゆる単体装置に形成された場合は、前記モニタ出力が記録再生装置に接続された液晶テレビ、プラズマテレビ等の外部接続のモニタ装置に供給されて画面表示等され、一方、前記の液晶テレビやプラズマテレビ等が組み込まれて複合装置に形成された場合は、前記モニタ出力が組み込まれた液晶テレビやプラズマテレビ等に供給されて画面表示等される。
【０００７】
ところで、この種の記録再生装置においては、記憶手段に蓄積保持された既録画番組に、録画したまま一度も見ていないタイトルの番組や、録画時等に一度見たきりの番組が含まれ、蓄積保持された番組数が多くなる程、そのような番組が増える。
【０００８】
そして、既に録画した番組の再生は、一般に、見ようという積極的な意識が働かない限り行なわれない傾向にあり、とくに長時間の録画が可能で多数の既録画番組が蓄積保持される前述のデジタル録画タイプのビデオレコーダにおいては、その傾向が顕著である。
【０００９】
一方、前記テレビモードにおけるテレビ放送のチャンネルの選択は、一般に、意識することなく、チャンネルの切り換え操作によって頻繁にくり返される傾向にある。
【００１０】
そこで、受信したテレビ放送の番組を自動的にＨＤＤ等に録画して蓄積保持する録画・再生システムにおいて、ＨＤＤ等に蓄積保持された既録画番組のいわゆる死蔵を防止するため、受信したテレビ放送の各番組を設定された分類別にＨＤＤ等に録画し、各分類に対してテレビ放送のない仮想チャンネル（空きチャンネル）を割り当て、更に、仮想チャンネル毎（分類毎）に各既録画番組の再生時間を定める時間表を作成し、受信チャンネルの切り換え等によって各仮想チャンネルが選択されたときに、それぞれの時間表にしたがって、該当する既録画番組を再生してモニタ表示等することが提案されている（例えば、特許文献１参照。）。
【特許文献１】特開２００１−３３３３５８号公報（要約、［００３８］−［００３９］、［００６３］、［００７０］、［００７８］−［００８７］、［０１８４］−［０１８６］、図１等）
【発明の開示】
【発明が解決しようとする課題】
【００１１】
上記特許文献１のシステムの場合、第一には、テレビ放送の空きチャンネルを仮想チャンネルに利用し、各録画番組をテレビ放送の番組のようにチャンネルの選択にしたがって再生し、表示することはできるが、ＨＤＤ等の各既録画番組の再生予定の時間表を作成する必要があり、また、仮想チャンネルが選択されたときに、時間表のその時間に該当する既録画番組を検索して再生、表示する必要がある。そのため、前記時間表に即した番組再生の時間管理の複雑な処理が必要で高価になるだけでなく、時間表の時間割りと仮想チャンネルが選択される時間帯との関係によっては、再生して表示される既録画番組が偏り、極端な場合、仮想チャンネルを選択すると、いつも同じ既録画番組が再生されて表示される事態を招来する。更には、仮想チャンネルを選択して既録画番組を鑑賞している途中に用事が発生して装置の電源をオフして鑑賞を中断し、その後、用事を終えて装置の電源をオンして仮想チャンネルを選択しても、中断前に特別な設定等をしていない限り、時間経過にしたがって別の既録画番組が再生して表示されたりし、既録画番組を中断個所から引き続き鑑賞することができず、ユーザに不満が残り、結局は仮想チャンネルが選択されなくなるおそれがある。したがって、ＨＤＤ等の各既録画番組を、死蔵を防止して有効に活用することができない問題がある。
【００１２】
又、第二には、仮想チャンネルをテレビ放送の空きチャンネルとする構成である側面から、チャンネルスキップ等の設定により、前記のテレビモードにおいて、空きチャンネルをスキップしてチャンネル切り換えが行なわれるような場合には、仮想チャンネルが全く選択されない事態が生じる。そのため、ＨＤＤ等の各既録画番組を、死蔵を防止して有効に活用することができない問題がある。
【００１３】
本発明は、記憶手段に蓄積保持された各既録画番組を、極力、死蔵を防止して有効に活用できるようにすることを目的とし、詳細には、第一に、テレビ放送の空きチャンネルを利用して記憶手段の各既録画番組を再生し表示する構成において、簡単かつ安価な構成で前記特許文献１のシステムの場合の第一の問題を解消し、記憶手段の各既録画番組を、極力、死蔵を防止して有効に活用できるようにすることを目的とし、第二に、空きチャンネルをスキップして受信チャンネルの切り換えが行なわれるような場合にも記憶手段の各既録画番組を再生、表示することができるようにして前記特許文献１のシステムの場合の第二の問題を解消し、記憶手段の各既録画番組を、極力、死蔵を防止して有効に活用できるようにすることを目的とする。
【課題を解決するための手段】
【００１４】
上記の第一の目的を達成するために、本発明の記録再生装置は、テレビ放送の受信機能及び受信したテレビ放送の番組等の録画、再生の機能を備え、受信したテレビ放送の番組等を記憶手段に録画して蓄積保持し、かつ、少なくとも再生のモニタ出力を優先して選択されたチャンネルの受信放送をモニタ出力する記録再生装置において、電源オンにより、録画、再生の制御を優先して電源オフになるまで前記記憶手段の各既録画番組をエンドレス再生する既録画再生制御手段と、前記電源オフになったときの前記エンドレス再生の再生終了位置を書き換え自在に記憶し、前記エンドレス再生の再生開始位置を、記憶している前回の前記再生終了位置に設定する再生開始位置制御手段と、受信チャンネルとして空きチャンネルが選択されたときに、該空きチャンネルの受信出力に代えて前記エンドレス再生の再生中の既録画番組をモニタ出力するモニタ出力制御手段とを備えたことを特徴としている（請求項１）。
【００１５】
更には、前記空きチャンネルが複数個であって、前記記憶手段の各既録画番組が各空きチャンネルに配分されて該各空きチャンネル毎にエンドレス再生されることを特徴としている（請求項２）。
【００１６】
又、上記の第二の目的を達成するために、本発明の記録再生装置は、テレビ放送の受信機能及び受信したテレビ放送の番組等の録画、再生の機能を備え、受信したテレビ放送の番組等を記憶手段に録画して蓄積保持し、かつ、少なくとも再生のモニタ出力を優先して受信チャンネルの受信放送をモニタ出力する記録再生装置において、録画番組再生条件の設定に基づき、前記記憶手段の各既録画番組を指定された番組の放送時間に再生する再生番組表を作成し、該再生番組表を書き換え自在に保持する再生番組表作成処理手段と、前記指定された番組の有放送チャンネルが受信チャンネルに選択された状態で前記指定された番組の放送時間に達したときに、前記再生番組表にしたがって前記記憶手段の該当する既録画番組を再生する既録画再生制御手段と、前記有放送チャンネルの前記指定された番組の放送時間の受信出力に代えて前記記憶手段から再生された既録画番組をモニタ出力するモニタ出力制御手段とを備えたことを特徴としている（請求項３）。
【００１７】
更には、前記有放送チャンネルが複数個であって、前記録画番組再生条件の指定に基づき、前記記憶手段の各既録画番組が前記各有放送チャンネルに配分されることを特徴としている（請求項４）。
【発明の効果】
【００１８】
まず、請求項１の発明によれば、テレビ放送の空きチャンネルを利用して記憶手段の各既録画番組を再生し表示する構成において、電源オンの操作が行なわれると、既録画再生制御手段により、電源オフの操作があるまで、操作やタイマ設定等に基づく本来の録画や再生の制御を優先しつつ記憶手段の各既録画番組がエンドレス再生され、このエンドレス再生の間に、受信チャンネルとして空きチャンネルが選択されると、モニタ出力制御手段により、空きチャンネルの受信出力に代えて再生中の既録画番組がモニタ出力されて画面表示等される。
【００１９】
そして、電源オフの操作があると、再生開始位置制御手段により、電源オフになったときのエンドレス再生の再生終了位置が書き換え自在に記憶され、つぎに電源オンの操作が行なわれると、前記エンドレス再生が前回の前記再生終了位置から開始される。
【００２０】
そのため、記憶手段の各既録画番組が、装置の電源オンの操作から電源オフの操作があるまでのエンドレス再生により、前回の再生終了位置の既録画番組から順次にくり返し再生され、このエンドレス再生が行なわれる間に、空きチャンネルが受信チャンネルとして選択されると、モニタ出力がそのときに再生されている既録画番組になり、この既録画番組が空きチャンネルの放送番組のように画面表示等される。
【００２１】
この場合、上述の時間表の作成や時間表に即した番組再生の時間管理の複雑な処理が不要で安価かつ簡単な構成で、テレビ放送の空きチャンネルを利用して記憶手段の各既録画番組を再生し表示等することができ、しかも、装置の電源オンの操作毎に再生を開始する既録画番組が変わり、例えば毎日の同じ時間帯に電源オンの操作が行なわれても、電源オンの操作毎に同じ既録画番組から再生が始まることは殆どなく、いつも新しい内容の既録画番組を楽しむことができ、その上、装置の電源オンの操作毎に前回の電源オフによって再生を中断した既録画番組が中断した個所から再生されるため、気に入った既録画番組の鑑賞を中断したときに、その既録画番組を中断個所から再生して引き続き鑑賞することも可能である。
【００２２】
したかって、テレビ放送の空きチャンネルを利用し、装置の電源オン、電源オフの操作に連動して記憶手段の各既録画番組をエンドレス再生する簡単で安価な構成により、記憶手段の各既録画番組を、あたかも受信チャンネルの放送番組を表示するようにして画面表示し、極力、死蔵を防止して有効に活用するすることができる。
【００２３】
そして、請求項２の発明のように、空きチャンネルが複数個であって、記憶手段の各既録画番組を各空きチャンネルに配分して空きチャンネル毎にエンドレス再生すると、空きチャンネル毎に異なる番組を再生、表示して前記請求項１の場合と同様の効果を奏することができ、とくに、記憶手段の既録画番組の数が多い場合や、各既録画番組を例えばジャンル別に分類して各空きチャンネルでエンドレス再生し、表示等する場合等に効果的である。
【００２４】
つぎに、請求項３の発明によれば、指定された番組の有放送チャンネルが受信チャンネルとして選択された状態でその番組の放送時間になると、既録画再生制御手段、モニタ出力制御手段により、再生番組表作成処理手段に書き換え自在に保持されて設定された再生番組表（時間表）にしたがって、当該放送チャンネルの放送番組の代わりに、記憶手段から再生された既録画番組が表示等される。
【００２５】
この場合、例えば見たくない放送番組を指定することにより、その放送番組の代わりに、記憶手段の各既録画番組を自動的に再生して表示等することができる。
【００２６】
そして、記憶手段の各既録画番組が有放送チャンネルの番組として表示等されるため、空きチャンネルをスキップして受信チャンネルの切り換えが行なわれるような場合にも、記憶手段の各既録画番組を再生して表示等することができ、テレビ放送の空きチャンネルを利用することによって生じる不都合を解消し、各既録画番組を、極力、死蔵を防止して有効に活用することができる。
【００２７】
そして、請求項４の発明のように、有放送チャンネルが複数個であって、記憶手段の各既録画番組を各有放送チャンネルに配分すると、再生番組表に基づき、各有放送チャンネルの指定された番組の放送時間に、有放送チャンネル毎に異なる既録画番組を再生して表示して前記請求項３の場合と同様の効果を奏することができ、とくに、記憶手段の既録画番組の数が多い場合や、各既録画番組を例えばジャンル別に分類して再生し、表示等する場合に効果的である。
【発明を実施するための最良の形態】
【００２８】
つぎに、本発明をより詳細に説明するため、その実施形態について、図１〜図１１にしたがって詳述する。
【００２９】
（一実施形態）
まず、テレビ放送の空きチャンネルを利用して記憶手段の各既録画番組を再生し表示する構成により上述の第一の目的を達成するようにした一実施形態について、図１〜図３を参照して説明する。
【００３０】
＜構成＞
図１は本発明が適用されるデジタル記録再生装置１ａのブロック図であり、このデジタル記録再生装置１ａは上述の単体構成のデジタル録画タイプのビデオレコーダである。
【００３１】
図２、図３はデジタル記録再生装置１ａの動作（処理）を説明する一部、他の一部それぞれのフローチャートである。
【００３２】
そして、図１に示すようにデジタル記録再生装置１ａは本体装置２ａとユーザの手元のリモコン３ａとからなり、本体装置２ａは、リモコン３ａ又は本体装置２ａの操作部４の数字キーや電源チャンネル順次選択、コマンドキーの操作に基づき、マイクロコンピュータ構成のシステム制御部５ａにより動作制御されてテレビ放送の受信機能及び受信したテレビ放送の番組等の録画、再生の機能等を備える。
【００３３】
すなわち、デジタル記録再生装置１ａにおいて、６はチューナ部であり、図示省略されたアンテナ、有線放送ケーブル等に接続され、リモコン３ａ、操作部４の操作で選択されたチャンネルのアナログ及びデジタルのテレビ放送を受信選局する。７はチューナ部６の次段の受信復調処理部であり、チューナ部６の受信出力に受信放送の種類等に応じた復調処理を施すとともに、必要に応じてデジタル化の処理を施し、受信チャンネルのテレビ放送のデジタル信号の映像出力と音声出力を再生する。
【００３４】
８は受信復調処理部７の次段の番組情報取得、表示番組表作成部であり、システム制御部５ａの制御により、必要に応じて、受信復調処理部７の映像出力に含まれた電子番組表（ＥＰＧ）の情報を抽出し、表示番組表としてこの実施形態では電子番組表を作成し、この電子番組表が表示番組に重畳した映像出力を形成する。
【００３５】
９は映像、音声の切換、合成処理部であり、システム制御部５ａの制御にしたがって、番組情報取得、表示番組表作成部８のテレビ放送の映像出力、受信復調処理部５のテレビ放送の音声出力と、後述の再生された既録画番組の映像出力、音声出力とを、切り換え、又は、合成して出力する。
【００３６】
１０、１１は切換、合成処理部９の次段の映像出力部、音声出力部であり、切換、合成処理部９の映像出力、音声出力に応じてアナログ変換を施し、映像、音声のデジタル又はアナログのモニタ出力それぞれを形成し、これらのモニタ出力を記録再生装置１ａに接続された液晶テレビ等の表示装置１２に供給してこの表示装置１２のディスプレイパネル１３に画面表示し、スピーカ１４から音声出力する。なお、切換、合成処理部９及び映像出力部１０、音声出力部１１がモニタ出力制御手段を形成する。
【００３７】
１５は記憶手段を形成する大容量のＨＤＤであり、テレビ放送の番組や外部機器から入力された番組等をタイトル録画し、各既録画番組を蓄積保持する。１６はＨＤＤ１５の録画、再生を制御する録画再生処理部であり、リモコン３ａ、操作部４の操作に基づくシステム制御部５ａの動作制御により、ＨＤＤ１５の通常の録画、再生や後述のエンドレス再生を行い、システム制御部５ａと共に既録画再生制御手段を形成する。
【００３８】
１７ａは既録画番組の再生条件設定部であり、フラッシュメモリ等の不揮発性の書き換え自在のメモリを有し、例えば、リモコン３ａ又は操作部４により予め設定された空きチャンネルの番号を書き換え自在に保持すると共に、デジタル記録再生装置１ａが電源オフになったときのＨＤＤ１５の前記エンドレス再生の再生終了位置（アドレス）を書き換え自在に記憶し、デジタル記録再生装置１ａがつぎに電源オンになったときエンドレス再生の再生開始位置を、記憶している前回の前記再生終了位置に設定する機能、ＨＤＤ１５の各既録画番組のエンドレス再生の再生順、例えば、録画順、タイトル名の昇、降順等の設定を記憶する機能等を備える。１８はデジタル記録再生装置１ａの制御、データのバスである。
【００３９】
つぎに、システム制御部５ａは、テレビ放送の受信制御、通常の録画、再生の制御等の従来装置が備える各種の制御プログラムの他に図２、図３の既録画番組のエンドレス再生の制御プログラムが設定され、デジタル記録再生装置１ａが電源オンすると、これらの制御プログラムを実行する。
【００４０】
＜動作＞
まず、デジタル記録再生装置１ａは電源プラグがコンセントに差し込まれると電源投入待機のスタンバイモードになり、電源投入の監視や予約録画の待機動作等を行なう。
【００４１】
そして、例えば電源ボタンが押されて電源オンの状態になると、優先的にテレビモードに切り換わる。このテレビモードにおいては、リモコン３ａ又は操作部４のチャンネル選択（チャンネル切り換え）の操作によって選択されたチャンネルのテレビ放送の映像、音声のモニタ出力が、切換、合成処理部９から出力部１０、１１を介して表示装置１２のディスプレイパネル１３、スピーカ１４に送られ、受信チャンネルの放送番組が表示等される。
【００４２】
つぎに、リモコン３ａ又は操作部４の録画操作により、受信チャンネルの放送番組或いは外部機器から入力されたビデオ番組の録画が選択されると、デジタル記録再生装置１ａは録画モードになり、例えば、受信復調処理部７の受信チャンネルの放送番組、図示省略された外部入力端子部の前記ビデオ番組が録画再生処理部１６を介してＨＤＤ１５にタイトル録画される。
【００４３】
又、この実施形態の場合、切換、合成処理部９により、デジタル記録再生装置１ａの映像、音声のモニタ出力が、受信チャンネルの放送番組からＨＤＤ１５に録画される番組の映像、音声のモニタ出力に切り換わる。このとき、受信チャンネルの放送番組の録画であれば、モニタ出力が切り換わっても表示装置１２の画面表示等は変化しない。
【００４４】
つぎに、電子番組表等に基づく予約録画の場合は、前記のスタンバイモードで予約時刻になることにより、自動的に電源が投入されて録画モードになり、予約された受信チャンネルの放送番組が録画再生処理部１６を介してＨＤＤ１５にタイトル録画され、この場合にも、デジタル記録再生装置１ａの映像、音声のモニタ出力はＨＤＤ１５に録画される番組の映像、音声のモニタ出力になる。
【００４５】
そして、録画操作や予約録画のくり返し等に基づき、ＨＤＤ１５には多数の既録画番組が蓄積保持される。
【００４６】
一方、リモコン３ａ又は操作部４の再生操作により、ＨＤＤ１５の各既録画番組の再生がタイトルを指定等して選択されると、デジタル記録再生装置１ａが再生モードになり、録画再生処理部１６によりＨＤＤ１５から選択された既録画再生が再生され、デジタル記録再生装置１ａの映像、音声のモニタ出力が優先的に再生された番組の映像、音声のモニタ出力になる。
【００４７】
つぎに、ＨＤＤ１５の各既録画番組のエンドレス再生について、図２、図３を参照して説明する。
【００４８】
図２に示すように、スタンバイモードにおいてはステップＳ１で電源オンを監視し、電源オンによってスタンバイモードを解除すると、ステップＳ１からステップＳ２に移行して録画モードまたは再生モードでないか否かを判断し、録画、再生のモードでなく、テレビモードであれば、ステップＳ２を否定（ＮＯ）で通過してステップＳ３に移行する。
【００４９】
このとき、ＨＤＤ１５の各既録画番組のエンドレス再生を行なっていなければ、ステップＳ４により、録画再生処理部１６によるＨＤＤ１５の各既録画番組のエンドレス再生を開始する。
【００５０】
そして、ＨＤＤ１５の各既録画番組を、再生条件設定部１７ａに記憶されているエンドレス再生の前回の再生終了位置の番組からら設定された再生順にしたがって順次に再生し、この状態でステップＳ３又はステップＳ４からステップＳ５に移行し、このステップＳ５により、受信チャンネルが再生条件設定部１７ａの空きチャンネルか否かを判断する。
【００５１】
なお、再生条件設定部１７ａの空きチャンネルは、いわゆるプリセットによって選局条件が設定されなかった未設定のチャンネル番号のチャンネルであり、受信可能なテレビ放送がないチャンネルである。又、このような未設定のチャンネル番号のチャンネルが複数個ある場合には、ユーザの選択によって、それらのうちの１つ或いは複数個（全部を含む）が、再生条件設定部１７ａの空きチャンネルに設定される。
【００５２】
そして、テレビモードで空きチャンネルが選択されていると、ステップＳ５からステップＳ６に移行し、切換、合成処理部９により、デジタル記録再生装置１ａの映像、音声のモニタ出力を、当該空きチャンネルの受信出力からＨＤＤ１５のエンドレス再生された各既録画番組の映像、音声のモニタ出力に切り換え、ＨＤＤ１５のエンドレス再生された各既録画番組をテレビ放送の番組のように表示装置１２に表示等する。
【００５３】
このＨＤＤ１５のエンドレス再生された各既録画番組の映像、音声のモニタ出力中には、ステップＳ６からステップＳ７、Ｓ８、Ｓ９を介してステップＳ６に戻るループ処理により、モニタ出力の録画操作の有無、電源オフ操作の有無、受信チャンネルの切り換え操作の有無を監視する。
【００５４】
そして、モニタ出力中の既録画番組を録画する操作が行なわれると、ステップＳ７からステップＳ１０に移行してその操作を無効にし、二重の録画を禁止した後、ステップＳ８、Ｓ９を介してステップＳ６に戻り、ＨＤＤ１５のエンドレス再生された各既録画番組の映像、音声のモニタ出力を継続する。
【００５５】
一方、ＨＤＤ１５のエンドレス再生された各既録画番組の映像、音声のモニタ出力中に電源オフの操作が行なわれると、ステップＳ８からステップＳ１１に移行し、ＨＤＤ１５のエンドレス再生を終了して再生条件設定部１７ａにその再生終了位置（アドレス等）を書き込んで記憶し、その後、ステップＳ１２に移行してスタンバイモードに戻り、ステップＳ１から処理をくり返す。
【００５６】
又、ＨＤＤ１５のエンドレス再生された各既録画番組の映像、音声のモニタ出力中に、チャンネル選択が行なわれて受信チャンネルの切り換えが発生すると、ステップＳ９からステップＳ１３に移行する。
【００５７】
そして、切り換え後の受信チャンネルが再生条件設定部１７ａの空きチャンネルであれば、ステップＳ１３からステップＳ６に戻ってＨＤＤ１５のエンドレス再生された各既録画番組の映像、音声のモニタ出力を継続する。
【００５８】
又、切り換え後の受信チャンネルが再生条件設定部１７ａの空きチャンネルでなければ、通常は受信チャンネルが有放送チャンネルであり、このとき、ステップＳ１３から図３のステップＳ１４に移行し、切換、合成処理部９により、デジタル記録再生装置１ａの映像、音声のモニタ出力を、受信チャンネルの受信出力に切り戻し、ＨＤＤ１５のエンドレス再生を継続しつつ、受信チャンネルの放送番組の表示等を行なう。
【００５９】
更に、受信チャンネルのチャンネルの放送番組が表示等されている間に、図３に示すように、ステップＳ１５、Ｓ１６、Ｓ１７を介してステップＳ１４に戻るループ処理によって録画操作、電源オフ、受信チャンネルの切り換えの有無を監視する。
【００６０】
そして、表示等されている受信チャンネルの放送番組の録画操作が発生すると、ステップＳ１５からステップＳ１８に移行し、図２のステップＳ１０と同様に、ＨＤＤ１５のエンドレス再生を終了して再生条件設定部１７ａにその再生終了位置（アドレス等）を記憶し、その後、ステップＳ１９に移行して録画モードに切り換わり、ステップＳ１９、Ｓ２０のループによってその放送番組をＨＤＤ１５に録画する。
【００６１】
この録画が終了すると、ステップＳ２０からステップＳ１６に移行して電源オフの有無を確認する。
【００６２】
そして、ステップＳ１６において、電源オフの操作が検出されず、電源オンの状態に維持されるときには、ステップＳ１６からステップＳ１７に移行し、このステップＳ１７から処理をくり返す。
【００６３】
又、ステップＳ１６において電源オフの操作を検出すると、ステップＳ１６からステップＳ２１に移行してＨＤＤ１５の各既録画番組のエンドレス再生中か否かを判断し、このとき、モニタ出力の録画が行なわれてＨＤＤ１５のエンドレス再生が終了した状態であれば、そのまま図２のＳ１２に移行し、スタンバイモードに戻ってステップＳ１から処理をくり返す。一方、モニタ出力の録画が行なわれず、ＨＤＤ１５のエンドレス再生中であれば、ステップＳ２１からステップＳ２２移行し、ＨＤＤ１５のエンドレス再生を終了して再生条件設定部１７ａにその再生終了位置（アドレス等）を記憶した後、図２のステップＳ１２に移行してスタンバイモードに戻り、ステップＳ１から処理をくり返す。
【００６４】
更に、ステップＳ１７において受信チャンネルの切り換えを検出すると、ステップＳ１７から図２のステップＳ３に移行し、ステップＳ３、Ｓ４によりＨＤＤ１５の前回終了した位置からのエンドレス再生を再開した状態でステップＳ５から処理をくり返す。
【００６５】
なお、図２のステップＳ２において、録画、再生の操作或いは予約録画が発生すると、ステップＳ２からステップＳ２３に移行して録画モード又は再生モードになり、ステップＳ２３、Ｓ２４のループにより、受信チャンネルの放送番組或いは外部入力の番組のＨＤＤ１５への録画又はＨＤＤ１５からの選択された既録画番組の本来の再生を実行する。このとき、切換、合成処理部９により、デジタル記録再生装置１ａの映像、音声のモニタ出力は、ＨＤＤ１５に録画される番組の映像、音声のモニタ出力又はＨＤＤ１５から再生される既録画番組の映像、音声のモニタ出力になる。又、その録画又は再生が終了すると、ステップＳ２４からステップＳ２５に移行し、電源オフの操作があればステップＳ２５からステップＳ１２に移行してスタンバイモードに戻り、電源オフの操作がなければ、ステップＳ２５からステップＳ３に移行する。
【００６６】
＜まとめ＞
したがって、この実施形態の場合は、テレビ放送の空きチャンネルを利用してＨＤＤ１５の各既録画番組を再生し表示する構成において、電源オンの操作が行なわれると、システム制御部５ａ及び録画再生処理部１６が形成する既録画再生制御手段により、電源オフの操作があるまで、操作やタイマ設定等に基づく本来の録画や再生の制御を優先しつつＨＤＤ１５の各既録画番組がエンドレス再生され、このエンドレス再生の間に、受信チャンネルとして再生条件設定部１７ａに設定された空きチャンネルが選択されると、切換、合成処理部９のモニタ出力制御手段により、空きチャンネルの受信出力に代えて再生中の既録画番組が表示装置１２モニタ出力されて画面表示等される。
【００６７】
そして、電源オフの操作があると、システム制御部５ａの再生開始位置制御手段により、電源オフになったときのＨＤＤ１５のエンドレス再生の再生終了位置が書き換え自在に記憶され、つぎに電源オンの操作が行なわれると、前記エンドレス再生が前回の前記再生終了位置から開始される。
【００６８】
そのため、ＨＤＤ１５の各既録画番組が、デジタル記録再生装置１ａの電源オンの操作から電源オフの操作があるまでのエンドレス再生により、前回の再生終了位置の既録画番組から順次にくり返し再生され、このエンドレス再生が行なわれる間に、再生条件設定部１７ａに設定された空きチャンネルが受信チャンネルとして選択されると、モニタ出力がそのときに再生されている既録画番組になり、この既録画番組が空きチャンネルの放送番組のように画面表示等される。
【００６９】
したがって、時間表の作成やその時間表に即した番組再生の時間管理の複雑な処理が不要で安価かつ簡単な構成により、テレビ放送の空きチャンネルを利用してＨＤＤ１５の各既録画番組をあたかもそのチャンネルの放送番組のように再生し表示等することができる。
【００７０】
そして、デジタル記録再生装置１ａの電源オンの操作毎に再生を開始する既録画番組が変わり、例えば毎日の同じ時間帯に電源オンの操作が行なわれても、電源オンの操作毎に同じ既録画番組から再生が始まることは殆どなく、いつも新しい内容の既録画番組を楽しむことができる。
【００７１】
又、デジタル記録再生装置１ａの電源オンの操作毎に前回の電源オフによってＨＤＤ１５の中断した個所からエンドレス再生が始まるため、例えば、空きチャンネルの受信状態で気に入った既録画番組を鑑賞している途中に用事が発生し、デジタル記録再生装置１ａの電源をオフして鑑賞を中断し、その後、デジタル記録再生装置１ａの電源を再びオンすると、その既録画番組の中断個所からＨＤＤ１５のエンドレス再生が始まり、当該既録画番組を中断個所から引き続き鑑賞することができ、気に入った既録画番組を見逃すことがない。
【００７２】
そのため、テレビ放送の空きチャンネルを利用し、デジタル記録再生装置１ａの電源オン、電源オフの操作に連動してＨＤＤ１５の各既録画番組をエンドレス再生する簡単で安価な構成により、ＨＤＤ１５の各既録画番組を、あたかも受信チャンネルの放送番組を表示するようにして画面表示し、極力、死蔵を防止して有効に活用するすることができる。なお、視聴機会が増えることで、ＨＤＤ１５から不要な既録画番組を削除しようとする機会も増え、ＨＤＤ１５の容量の確保につながる利点もある。
【００７３】
ところで、空きチャンネルが複数個ある場合、全部又は一部の空きチャンネルを前記のエンドレス再生するチャンネルに設定できるのは勿論である。その際、全ての空きチャンネルで全く同じように或いは時間的にずらしてＨＤＤ１５の全ての既録画番組をエンドレス再生してもよいが、例えば、ＨＤＤ１５の各既録画番組を各空きチャンネルに適当に配分して空きチャンネル毎にエンドレス再生すると、空きチャンネル毎に異なる番組を再生、表示して前記の効果を奏することができ、とくに、ＨＤＤ１５の既録画番組の数が多い場合や、各既録画番組を例えばジャンル別に分類して各空きチャンネルでエンドレス再生し、表示等する場合等に効果的である。
【００７４】
（他の実施形態）
つぎに、空きチャンネルをスキップして受信チャンネルの切り換えが行なわれるような場合にも記憶手段の各既録画番組を再生、表示することができるようにして上述の第二の目的を達成するようにした他の実施形態について、図４〜図１１を参照して説明する。
【００７５】
＜構成＞
図４は本発明が適用されるデジタル記録再生装置１ｂのブロック図であり、同図において、図１と同一の符号は同一若しくは相当するものを示し、このデジタル記録再生装置１ｂもＨＤＤ１５を記憶手段とする上述の単体構成のデジタル録画タイプのビデオレコーダである。
【００７６】
図５はデジタル記録再生装置１ｂの再生番組表作成処理のフローチャート、図６はＨＤＤ１５の既録画番組の一例の説明図、図７〜図９はそれぞれ再生番組表の説明図、図１０、図１１はデジタル記録再生装置１ｂの前記各既録画番組の再生、表示を説明する一部、他の一部それぞれのフローチャートである。
【００７７】
そして、図４に示すようにデジタル記録再生装置１ｂは本体装置２ｂとリモコン３ｂからなり、ユーザの条件設定等に基づいて作成した再生番組表（時間表）にしたがって、指定された有放送チャンネルの指定された番組の放送時間にＨＤＤ１５の各既録画番組を再生し、表示装置１２に当該テレビ番組の代わりに表示等する。
【００７８】
そのため、本体装置２ｂには図１の再生条件設定部１７ａに代えて既録画番組の再生条件設定部１７ｂが設けられ、この再生条件設定部１７ｂは、フラッシュメモリ等の不揮発性の書き換え自在のメモリを有し、録画番組再生条件として、リモコン３ｂや操作部４を操作して行なわれるＨＤＤ１５の各既録画番組の再生順の設定や、各録画番組を再生するテレビ放送の番組指定等を書き換え自在に保持する。なお、リモコン３ｂは、図１のリモコン３ａに録画番組再生条件の設定や番組表作成等に必要な各種キーを追加した構成に形成される。
【００７９】
又、本体装置２ｂは再生番組表作成処理手段として前記再生番組表を作成して記憶する再生番組表作成、記憶処理部１９を備え、この再生番組表作成、記憶処理部１９は、再生条件設定部１７ｂに保持された録画再生条件や、ＨＤＤ１５の各既録画番組のタイトルの情報等に基づき、ＨＤＤ１５の各既録画番組を指定されたテレビ放送の番組の放送時間に再生する再生番組表を作成し、この再生番組表をフラッシュメモリ等の不揮発性のメモリに書き換え自在に保持する。
【００８０】
なお、再生番組表は、ＨＤＤ１５の新たな番組録画や既録画番組の削除が行なわれてＨＤＤ１５の蓄積保持内容が変化したり、指定された番組の放送時間が変更等した場合にはその都度、更新される。
【００８１】
ところで、再生番組表は、指定された有放送チャンネルの指定された番組放送時間に再生する既録画番組のタイトル（或いは当該番組を示す記号等）の一覧表であり、この実施形態の場合、番組情報取得、表示番組表作成部８の合成処理によって受信した電子番組表のように見易く画面表示するため、例えば、指定された有放送チャンネルの電子番組表の該当する放送番組の部分を再生する既録画番組に置き換え、その時間のタイトルを既録画番組のタイトルに置き換えて形成される。この場合、前記の放送番組の時間帯に再生する既録画番組は、再生条件設定部１７ｂに設定された再生順にしたがってＨＤＤ１５から選択されるが、その再生順等はどのようでもよく、また、選択された既録画番組の再生時間がそのテレビ番組の放送時間より短くなっても長くなってもよい。そして、具体的には、例えばそのテレビ番組の放送時間（連続する複数の番組の場合はそれらの合計時間）以上になるまで、ＨＤＤ１５の各既録画番組を録画順やタイトルの昇順、降順に選択して決定したり、ＨＤＤ１５の各既録画番組のうちの再生回数の少ないものの中からそのテレビ番組の放送時間になるべく合うものを一つ又は複数選択し、前記の放送番組の終了時刻になっても既録画番組の再生途中であれば、後述するように、それ以降にもその既録画番組の再生を継続するか、テレビ番組の表示等に戻すかを、ユーザの選択によって決定する。
【００８２】
つぎに、本体装置２ｂは図１のシステム制御部５ａに代わるシステム制御部５ｂを備え、このシステム制御部５ｂは、録画再生処理部１６と共に既録画再生制御手段を形成し、テレビ放送の受信制御、通常の録画、再生の制御等の従来装置が備える各種の制御プログラムの他に、図５の再生番組表作成の制御プログラム、図１０、図１１の既録画番組再生の制御プログラムが設定され、デジタル記録再生装置１ｂが電源オンすると、これらの制御プログラムを必要に応じて実行する。
【００８３】
＜動作＞
まず、デジタル記録再生装置１ｂの再生番組表作成の処理について、図５を参照して説明する。
【００８４】
デジタル記録再生装置１ｂは、初期設定時やユーザが選択したときに、ＨＤＤ１５の各既録画番組の再生順及び、各録画番組を再生するテレビ放送の番組（放送番組）の指定等が再生条件設定部１７ｂに書き換え自在に書き込まれる。なお、各録画番組が再生される放送番組はユーザが日頃選択する有放送チャンネルの見たくない番組等であり、その指定は、例えば、電子番組表から選択可能なように、その番組の固有のタイトルやジャンルを設定して行なわれる。この場合、各録画番組が再生される放送番組は、特定のチャンネル（有放送チャンネル）の固有タイトルの番組或いは複数の有放送チャンネルの指定されたジャンルのキーワードをタイトルに含む各番組になる。
【００８５】
そして、デジタル記録再生装置１ｂの電源プラグがコンセントに差し込まれていると、システム制御部５ｂが図５の再生番組表作成の制御を自動的に実行する。
【００８６】
そして、初期設定直後等の再生番組表作成、記憶処理部１９にＨＤＤ１５の再生番組表が全く設定されていないときには、図５のステップＱ１からステップＱ２に移行し、ステップＱ２、Ｑ３により再生番組表作成、記憶処理部１９が動作し、再生条件設定部１７ｂに保持された録画再生条件と受信した最新の電子番組表とから、指定された放送番組を検出してその番組のチャンネル（有放送チャンネル）、放送時間を把握し、例えば、その電子番組表の該当する番組タイトルを再生予定の各既録画番組のタイトルに置き換えたような再生番組表を作成して記憶保持する。
【００８７】
その後、電源プラグがコンセントから引き抜かれない限り、ステップＱ４に移行してステップＱ４、Ｑ５、Ｑ６のループにより、ＨＤＤ１５の新たな録画、ＨＤＤ１５の既録の消去、或いは、新たな電子番組表の受信の発生を監視し、ＨＤＤ１５の新たな録画、ＨＤＤ１５の既録の消去、或いは、新たな電子番組表の受信が発生し、録画再生条件が変更等されて再生番組表の更新が必要になる毎に、ステップＱ２、Ｑ３により、変更された録画再生条件等に即して再生番組表を更新する。
【００８８】
つぎに、再生番組表の具体例について、図６〜図９を参照して説明する。
【００８９】
まず、図６に示すように、ＨＤＤ１５には多数の既得録画番組αａ、…、αｎが記録位置のアドレス等と共に録画順の番号や、タイトル名、ジャンル、録画したチャンネル等の情報を付けて記憶保持される。
【００９０】
そして、説明を簡単にするため、例えば、有放送の特定のチャンネルを指定し、そのチャンネルの全ての放送番組を見ない番組として指定した場合、再生番組表は、図７に示すようになる。同図において、Ｐａは再生番組表であり、その番組表Ｐａの各放送番組の時間に、既得録画番組αａ、…、αｎが順にくり返して割り当てられる。
【００９１】
また、指定したチャンネルを有放送の複数チャンネル、例えば第７チャンネルＣＨ７と第８チャンネルＣＨ８の２チャンネルとした場合、両チャンネルＣＨ７、ＣＨ８に同じように各既録画番組を指定してもよいが、例えば第８チャンネルＣＨ８に好みのジャンル（例えば、バラエティー）の既録画番組のみを割り当てることも可能であり、この場合、再生番組表は例えば図８の再生番組表Ｐｂに示すようになる。なお、チャンネル毎に異なるジャンルの既録画番組を割り当てることも可能である。
【００９２】
更に、再生番組表作成、記憶処理部１９に例えば前記図７の再生番組表Ｐａが記憶保持されている状態で、ＨＤＤ１５に１月３０日（１／３０）に新たに「９時のニュース」が録画されると、再生番組表は例えば図９の再生番組表Ｐｃに更新される。
【００９３】
つぎに、前記の再生番組表に基づく、ＨＤＤ１５の各既録画番組の再生について、図１０、図１１を参照して説明する。
【００９４】
図１０に示すように、デジタル記録再生装置１ｂのスタンバイモードにおいてはステップＲ１で電源オンを監視し、電源オンによってスタンバイモードを解除すると、ステップＲ１からステップＲ２に移行して録画モードまたは再生モードでないか否かを判断し、録画、再生のモードでなく、テレビモードであれば、ステップＲ２を否定（ＮＯ）で通過してステップＲ３に移行し、現在選択されているチャンネルが、受信可能なテレビ放送がある有放送チャンネルであって既録再生条件で指定された放送番組のチャンネルか否かを判断する。
【００９５】
そして、指定された放送番組の有放送チャンネルが選択されてこのチャンネルの放送番組が表示装置１２に表示等されていると、ステップＲ３からステップＲ４に移行し、指定された放送番組の放送時間か否かを判断し、指定された放送番組の放送時間であれば、ステップＲ４からステップＲ５に移行し、再生番組表にしたがってＨＤＤ１５の該当する既録画番組を再生し、再生した既録画番組を録画再生処理部１６から切換、合成処理部９に送り、切換、合成処理部９及び映像出力部１０、音声出力部１１か形成するモニタ出力制御手段の映像、音声のモニタ出力を受信中の放送番組のモニタ出力から、再生した既録画番組の映像、音声のモニタ出力に切り換え、表示装置１２に、例えば見たくない放送番組に代えてＨＤＤ１５の既録画番組を、放送番組のように表示等する。
【００９６】
この間に、ユーザが誤ってその既録画番組を録画しようとしても、ステップＲ６、Ｒ７によりその録画操作は無効にされる。
【００９７】
そして、ステップＲ６又はステップＲ７からステップＲ８、Ｒ９を介してステップＲ４に戻るループ処理により、指定された放送番組に代わるＨＤＤ１５の既録画番組の再生、表示が継続される。
【００９８】
なお、この再生、表示の継続中に、ステップＲ８で電源オフを検出すると、ステップＲ１０に移行し、ＨＤＤ１５の再生を終了等してスタンバイモードに戻り、ステップＲ１から処理をくり返す。又、いわゆるチャンネル選択の操作により、ステップＲ９で受信チャンネルの切り換えが行なわれると、ステップＲ９からステップＲ３に戻り、このステップＲ３から処理をくり返す。
【００９９】
つぎに、指定された放送番組の放送時間の終了になると（正確には終了間近になると）、ステップＲ４をＮＯで通過して図１１のステップＲ１１に移行する。
【０１００】
このとき、既録画番組の再生途中であって番組終了に達していなければ、図１１に示すようにステップＲ１１からステップＲ１２に移行し、例えば再生番組表作成、記憶処理部１９に設定された再生継続の選択案内画面を表示装置１２に表示中の既録画番組の一部に重ねて表示し、ユーザに再生を継続するか否かの選択を促す。
【０１０１】
そして、リモコン３ｂの操作等で再生の継続が選択されると、ステップＲ１３からステップＲ１４に移行してその既録画番組の再生、表示を継続する。又、この間にユーザが誤って表示中の既録画番組を録画しようとしても、ステップＲ１６、Ｒ１７によりその録画操作は無効にされる。
【０１０２】
そして、ステップＲ１５又はステップＲ１６からステップＲ１７を介してステップＲ１３に戻るループ処理により、その既録画番組の再生、表示が続けられ、再生が終了すると、ステップＲ１７からステップＲ１８に移行してＨＤＤ１５の再生を終了し、ステップＲ１９により電源オフ操作の有無を判別し、電源オフ操作があれば図１０のステップＲ１０に移行してスタンバイモードに戻り、電電オフ操作がなければ図１０のステップＲ３に移行してこの処理からくり返す。
【０１０３】
一方、指定された放送番組の終了時に既録画番組の再生も終了する場合や、その放送番組の放送前、後の場合には、ＨＤＤ１５は再生状態でなく、図１１のステップＲ１１をＮＯで通過してステップＲ２０に移行し、切換、合成処理部９によって、映像出力部１０、音声出力部１１の映像、音声のモニタ出力を受信中の放送番組のモニタ出力に切り戻し、表示装置１２に受信チャンネルの放送番組を表示等する。なお、図１０のステップＲ３において、受信チャンネルが指定された番組のチャンネルでない場合にも、ステップＲ３から図１１のステップＲ２０に移行し、表示装置１２に受信チャンネルの放送番組を表示等する。
【０１０４】
そして、この受信チャンネルの放送番組の表示中に、ユーザがその放送番組を録画しようとすると、ステップＲ２０からステップＲ２１を介してステップＲ２２に移行し、ステップＲ２２、Ｒ２３のループ処理により、録画モードになって当該放送番組をＨＤＤ１５に録画する。
【０１０５】
更に、この録画が終了すると、ステップＲ２３からステップＲ２４に移行して電源オフ操作の有無を判断した後、ステップＲ２５に移行して受信チャンネルの切り換えの有無を判断する。
【０１０６】
そして、受信チャンネルが切り換えられた場合には、ステップＲ２５から図１０のステップＲ３に移行してこのステップＲ３から処理をくり返す。
【０１０７】
一方、受信チャンネルが切り換えらなければ、ステップＲ２５からステップＲ２６に移行し、受信表示中の放送番組について、再生番組表の当該チャンネルの既録画番組再生時間か否かを判断する。
【０１０８】
そして、既録画番組再生時間になるまでは、その受信チャンネルの放送番組を表示等しながらステップＲ２１に戻ってこのステップＲ２１から処理をくり返し、既録画番組再生時間になると、ステップＲ２６から図１０のステップＲ３に戻り、このステップＲ３から処理をくり返してＨＤＤ１５の既録画番組を再生して表示等する。
【０１０９】
なお、図１０のステップＲ２において、録画、再生の操作或いは予約録画が発生すると、ステップＲ２からステップＲ２７に移行して録画モード又は再生モードになり、ステップＲ２７、Ｒ２８のループにより、受信チャンネルの放送番組或いは外部入力の番組のＨＤＤ１５への録画又はＨＤＤ１５からの選択された既録画番組の本来の再生を実行する。このとき、切換、合成処理部９により、デジタル記録再生装置１ｂの映像、音声のモニタ出力は、ＨＤＤ１５に録画される番組の映像、音声のモニタ出力又はＨＤＤ１５から再生される既録画番組の映像、音声のモニタ出力になる。又、その録画又は再生が終了すると、ステップＲ２８からステップＲ２９に移行し、電源オフの操作があればステップＲ２９からステップＲ１０に移行してスタンバイモードに戻り、電源オフの操作がなければ、ステップＲ２９からステップＲ３に移行する。
【０１１０】
＜まとめ＞
したがって、この実施形態の場合は、指定された番組の有放送チャンネルが受信チャンネルとして選択された状態で指定された番組の放送時間になると、再生番組表作成、記憶処理部１９に書き換え自在に保持されて設定された再生番組表（時間表）にしたがって、当該放送チャンネルの放送番組の代わりに、ＨＤＤ１５から再生された既録画番組が表示装置１２に表示等される。
【０１１１】
この場合、例えば見たくない放送番組を指定することにより、その放送番組の代わりに、記憶手段の各既録画番組を自動的に再生して表示等することができるため、空きチャンネルをスキップして受信チャンネルの切り換えが行なわれるような場合にも、ＨＤＤ１５の各既録画番組を再生して表示等することができ、テレビ放送の空きチャンネルを利用することによって生じる不都合を解消し、各既録画番組を、極力、死蔵を防止して有効に活用することができる。
【０１１２】
このとき、有放送チャンネルを複数個指定し、ＨＤＤ１５の各既録画番組を各有放送チャンネルに配分して指定すると、再生番組表に基づき、各有放送チャンネルの指定された番組の放送時間に、有放送チャンネル毎に異なる既録画番組を再生して表示することができ、とくに、ＨＤＤ１５の既録画番組の数が多い場合や、各既録画番組を例えばジャンル別に分類して再生し、表示等する場合等に効果的である。なお、視聴機会が増えることで、不要な既録画番組をＨＤＤ１５から削除しようとする機会も増え、ＨＤＤ１５の容量確保につながる等の利点があるのも勿論である。
【０１１３】
そして、本発明は上記した両実施形態に限定されるものではなく、その趣旨を逸脱しない範囲において上述したもの以外に種々の変形実施を行うことが可能であり、例えば、記憶手段がＤＶＤやビデオテープ等の場合にも同様に本発明を適用することができ、更に、ＨＤＤ、ＤＶＤ、デオテープ等の全部又は一部からなる複数の記録媒体を記憶手段とする場合にも同様に本発明を適用することができる。
【０１１４】
また、例えば本体装置２ａ、２ｂに表示装置１２を組み込んだような複合機タイプの記録再生装置であってもよいのも勿論である。
【０１１５】
そして、各部の構成等が前記両実施形態と異なっていてもよいのは勿論である。
【図面の簡単な説明】
【０１１６】
【図１】本発明の一実施形態のブロック図である。
【図２】図１の動作説明用の一部のフローチャートである。
【図３】図１の動作説明用の他の一部のフローチャートである。
【図４】本発明の他の実施形態のブロック図である。
【図５】図４の再生番組表作成処理のフローチャートである。
【図６】図４のＨＤＤ１５に蓄積保持された既録画番組の一例の説明図である。
【図７】図５の再生番組表の一例の説明図である。
【図８】図５の再生番組表の他の一例の説明図である。
【図９】図５の再生番組表のさらに他の一例の説明図である。
【図１０】図４の各既録画番組の再生、表示を説明する一部のフローチャートである。
【図１１】図４の各既録画番組の再生、表示を説明する他の一部のフローチャートである。
【符号の説明】
【０１１７】
２ａ、２ｂ    本体装置
５ａ、５ｂ    システム制御部
６    チューナ部
７    受信復調処理部
８    番組情報取得、表示番組表作成部
９    切換、合成処理部
１０    映像出力部
１１    音声出力部
１５    ＨＤＤ
１６    録画再生処理部
１７ａ、１７ｂ    再生条件設定部
１９    再生番組表作成、記憶処理部
【図１】
2007228053.tif 000003
【図２】
2007228053.tif 000004
【図３】
2007228053.tif 000005
【図４】
2007228053.tif 000006
【図５】
2007228053.tif 000007
【図６】
2007228053.tif 000008
【図７】
2007228053.tif 000009
【図８】
2007228053.tif 000010
【図９】
2007228053.tif 000011
【図１０】
2007228053.tif 000012
【図１１】
2007228053.tif 000013